(57)【要約】【課題】嵌合凹部へのハンダ、フラックスなどの侵入を防止して相手側コネクタとの接触不良を防ぎ、実装後にコンパクトで軽量なディップコネクタとなるカバー付きディップコネクタを提供する。【解決手段】嵌合凹部１１１が設けられたハウジング１１０とコンタクト１２０とを備え、嵌合凹部をプリント配線板２００の接続開口２３０に対応して位置づけ、コンタクトの脚１２１を脚孔２４０に挿入すると脚孔から突き出た脚の先端をプリント配線板の裏面にハンダ付けできるように構成し、さらに、ハウジングに、高さ方向の一方側へ取り外し可能に取り付けられて嵌合凹部の開口１１１ａを覆うカバー１３０を備え、脚のプリント配線板へのハンダ付けのあとでカバーをプリント配線板の接続開口から裏面側へ抜くと、プリント配線板の裏面側から相手側コネクタの嵌合凸部を嵌合凹部に嵌合できるように構成したカバー付きディップコネクタ１００である。【選択図】図１
2009272187.tif 000002
【特許請求の範囲】
【請求項１】
高さ方向の一方側に高さ方向に向いた底面が形成され、内部に、上記底面に開口する嵌合凹部が設けられたハウジングと、
このハウジングに設けられ、高さ方向の一方側へ突き出た脚と上記ハウジングの嵌合凹部に設けられた接触部とを有するコンタクトとを備え、
上記嵌合凹部を接続開口及び脚孔がそれぞれ貫通して設けられたプリント配線板における上記接続開口に対応して位置づけ且つ上記コンタクトの脚を上記脚孔に挿入すると脚孔から突き出た脚の先端をプリント配線板の裏面にハンダ付けできるように構成し、
さらに、上記ハウジングに、高さ方向の一方側へ取り外し可能に取り付けられて上記嵌合凹部の開口を覆うカバーを備え、
上記脚のプリント配線板へのハンダ付けのあとでカバーを上記プリント配線板の接続開口から裏面側へ抜くと、上記プリント配線板の裏面側から相手側コネクタの嵌合凸部を嵌合凹部に嵌合できるように構成したカバー付きディップコネクタ。
【請求項２】
上記ハウジングの高さ方向と直交する幅方向に向いた両側面に、幅方向へ突き出た突起がそれぞれ設けられ、
カバーが、嵌合凹部の開口を覆う本体と、
この本体の幅方向の両端から高さ方向へそれぞれ延び、先端に上記ハウジングの突起に嵌合する孔がそれぞれ設けられた可撓性あるアームとを備えている請求項１のカバー付きディップコネクタ。    
【発明の詳細な説明】
【技術分野】
【０００１】
本発明は電気コネクタの技術分野に属し、プリント配線板などに実装されるディップコネクタに関する。
【背景技術】
【０００２】
特許文献１は、絶縁材で形成されたレセプタクルコネクタのレセプタクルボディ内にピン接触部と端子部とを有するレセプタクルコンタクトが多数配列され、同レセプタクルボディの底面にプラグコネクタのピンコンタクトが挿入するピン挿抜口が多数形成され、同ピン挿抜口からピンコンタクトを差し込むと、ピンコンタクトが上記レセプタクルコンタクトのピン接触部と電気接触するボトムエントリーコネクタを開示している。ピン挿抜口にピンコンタクトを挿入する前は、このシャッタをスライドさせて、同シャッタによりレセプタクルボディの挿抜口を閉めるようにしておけば、レセプタクルコンタクトの端子部を基板にハンダ付けする際にフラックスがピン挿抜口を通って内部に侵入することができない。このためレセプタクルコンタクトのピン接触部にフラックスが付着せず、接触不良を起こすことがない。
【０００３】
【特許文献１】実開平５−７９８７２号公報
【発明の開示】
【発明が解決しようとする課題】
【０００４】
このようなディップ形のレセプタクルコネクタの基板への実装は、レセプタクルコンタクトの端子部を基板に差し込み、基板から突き出た端子部の先端を基板にハンダ付けすることで行われる。この一連の作業を自動化して行う自動実装の場合、ハンダ付けは、例えば端子部の先端付近を溶融したハンダが溜まったディップ槽に浸けることで行われる。
【０００５】
しかし、上記従来の技術は、レセプタクルコネクタにおけるプラグコネクタのピンコンタクトが差し込まれるピン挿入口をシャッタにより開閉するという構造であるので、レセプタクルコネクタに、プラグコネクタを凹凸嵌合するために設けた嵌合凹部を開閉する構造に適用するとしても、例えば、シャッタとコンタクトとの干渉を回避すること、ハウジングを大きくすることなくシャッタの収納スペースを確保することなどの課題の解決が難しい。また、シャッタの分だけレセプタクルコネクタの重量が増加することになる。
【０００６】
本発明の目的は、相手側コネクタの嵌合凸部と嵌合するための嵌合凹部が設けられたディップコネクタの当該嵌合凹部をカバーで覆っておき、ディップ槽に浸かることでプリント配線板にハンダ付けされてから上記カバーを取り外すことにより、嵌合凹部へのハンダ、フラックスなどの侵入を防止して相手側コネクタとの接触不良を防ぎ、自動実装後にコンパクトで軽量なディップコネクタとなるカバー付きディップコネクタを提供することにある。
【課題を解決するための手段】
【０００７】
本発明のカバー付きディップコネクタは、高さ方向の一方側に高さ方向に向いた底面が形成され、内部に、上記底面に開口する嵌合凹部が設けられたハウジングと、このハウジングに設けられ、高さ方向の一方側へ突き出た脚と上記ハウジングの嵌合凹部に設けられた接触部とを有するコンタクトとを備え、上記嵌合凹部を接続開口及び脚孔がそれぞれ貫通して設けられたプリント配線板における上記接続開口に対応して位置づけ且つ上記コンタクトの脚を上記脚孔に挿入すると脚孔から突き出た脚の先端をプリント配線板の裏面にハンダ付けできるように構成し、さらに、上記ハウジングに、高さ方向の一方側へ取り外し可能に取り付けられて上記嵌合凹部の開口を覆うカバーを備え、上記脚のプリント配線板へのハンダ付けのあとでカバーを上記プリント配線板の接続開口から裏面側へ抜くと、上記プリント配線板の裏面側から相手側コネクタの嵌合凸部を嵌合凹部に嵌合できるように構成している。
【０００８】
このカバー付きディップコネクタをプリント配線板に自動実装する場合、このカバー付きディップコネクタをプリント配線板にその表面側から近づけ、上記嵌合凹部を上記プリント配線板の接続開口に対応して位置づけ、上記コンタクトの脚を上記プリント配線板の脚孔に挿入し、プリント配線板の裏面をディップ槽に浸けて脚孔から突き出た脚の先端をプリント配線板の裏面にハンダ付けする。次いで、カバーを上記プリント配線板の接続開口から裏面側へ抜くと、嵌合凹部の開口が露出し、上記プリント配線板の裏面側から相手側コネクタの嵌合凸部を嵌合凹部に嵌合することができるようになる。
【０００９】
その場合、プリント配線板の裏面から出たコンタクトの脚をプリント配線板の裏面にハンダ付けするときはカバーが嵌合凹部の開口を覆っているので、ディップ槽から嵌合凹部へのハンダ、フラックスなどの侵入が阻止され、相手側コネクタとの電気的接続が安定的に行われる。また、カバーを高さ方向の一方側へ取り外すので、カバーとコンタクトとの干渉が起きにくい。しかも、ハウジングに、カバーを取り外すためのスペースを確保する必要がないので、ハウジングがコンパクトになる。さらに、コンタクトの脚のプリント配線板へのハンダ付けのあとでカバーをハウジングから取り外すので、実装後のディップコネクタの重量がカバーにより増加することはない。しかも、カバーを回収して再利用すればコストの削減が可能となる。
【００１０】
本発明のカバー付きディップコネクタは、上記ハウジングの高さ方向と直交する幅方向に向いた両側面に、幅方向へ突き出た突起がそれぞれ設けられ、カバーが、嵌合凹部の開口を覆う本体と、この本体の幅方向の両端から高さ方向へそれぞれ延び、先端に上記ハウジングの突起に嵌合する孔がそれぞれ設けられた可撓性あるアームとを備えていてもよい。
【００１１】
このようにすれば、アームを幅方向に撓ませてアームの孔をハウジングの突起から外し、アームを高さ方向の一方側へ押せばカバーを上記プリント配線板の接続開口から裏面側へ抜くことができ、作業性がよい。
【発明の効果】
【００１２】
本発明のカバー付きディップコネクタを用いると、ディップ槽から嵌合凹部へのハンダ、フラックスなどの侵入を防ぐことができ、相手側コネクタとの電気的接続を安定的に行うことができる。また、カバー付きディップコネクタをプリント配線板に実装してからカバーをハウジングから取り外すので、カバーとコンタクトとの干渉が起きにくく、ハウジングがコンパクトになり、自動実装後のディップコネクタの重量を極力軽くすることができる。しかも、カバーを回収して再利用すればコストを削減することができる。
【００１３】
上記ハウジングの両側面に突起を設け、カバーにおいて上記嵌合凹部の開口を覆う本体に設けたアームを上記ハウジングの突起にそれぞれ嵌合するようにしたときは、カバー取り外しの作業性がよい。
【発明を実施するための最良の形態】
【００１４】
以下、本発明の実施の形態を説明する。図１ないし図４は、本発明の実施形態のカバー付きディップコネクタ１００を示す。説明の便宜上、互いに直交する高さ方向、幅方向、及び奥行き方向を設定する。この実施形態の場合、図４で説明すれば、図の上下方向が高さ方向であり、左右が奥行き方向であり、紙面に垂直な方向が幅方向である。実施形態のカバー付きディップコネクタ１００は、絶縁性材料により形成されたハウジング１１０と、導電性材料により形成されて上記ハウジング１１０に設けられたコンタクト１２０と、上記ハウジング１１０に取り付けられたカバー１３０とを備えている。カバーは耐熱性が高い方が好ましい。この実施形態ではカバー１３０をナイロン樹脂により形成しているが、これによって本発明のカバー付きディップコネクタに用いられるカバーの材質が限定されることはない。
【００１５】
上記ハウジング１１０の内部には、高さ方向の一方側に開口する嵌合凹部１１１が設けられている。このハウジング１１０の高さ方向の一方側には、高さ方向に向いた底面１１２が形成されており、上記嵌合凹部１１１が上記底面１１２に開口している。上記ハウジング１１０には、極数に応じた数だけコンタクト１２０が設けられている。このコンタクト１２０は、ハウジング１１０から高さ方向の一方側へ突き出た脚１２１と、上記ハウジング１１０の嵌合凹部１１１に設けられた接触部１２２とを備えている。２００は、カバー付きディップコネクタ１００が実装されるプリント配線板である。このプリント配線板２００には表面２１０及び裏面２２０があり、裏面２２０には導電部よりなるパターンが形成されている。このプリント配線板２００には、接続開口２３０と、脚孔２４０とがそれぞれ貫通して設けられている。脚孔２４０は、極数に応じた数だけ設けられている。そして、上記嵌合凹部１１１を上記プリント配線板２００の上記接続開口２３０に対応して位置づけ且つ上記コンタクト１２０の脚１２１を上記脚孔２４０にそれぞれ挿入すると、脚孔２４０から突き出た脚１２１の先端をプリント配線板２００の裏面２２０のパターンにハンダ付けできるように構成している。
【００１６】
図３及び図６に示すように、上記カバー１３０は、上記ハウジング１１０に、高さ方向の一方側へ取り外し可能に取り付けられ、上記嵌合凹部１１１の開口１１１ａを覆っている。そして、上記脚１２１のプリント配線板２００へのハンダ付けのあとでカバー１３０を上記プリント配線板２００の接続開口２３０から裏面２２０の側へ抜くと、上記プリント配線板２００の裏面２２０の側から相手側コネクタ３００の嵌合凸部３１０を嵌合凹部１１１に嵌合できるように構成している。相手側コネクタ３００は、絶縁性材料で形成されたハウジングと、導電性材料で形成されたコンタクトとを備え、この相手側コネクタ３００のハウジングには嵌合凸部３１０が形成されており、この嵌合凸部３１０には相手側コネクタ３００のコンタクトの接触部が設けられている。そして、相手側コネクタ３００の嵌合凸部３１０が上記カバー付きディップコネクタ１００のハウジング１１０の嵌合凹部１１１に嵌合すると、上記カバー付きディップコネクタ１００のコンタクト１２０の接触部が相手側コネクタ３００のコンタクトの接触部に接触するようにしている。
【００１７】
上記ハウジング１１０の幅方向に向いた側面１１３には、幅方向の外側へ突き出た突起１１４がそれぞれ設けられている。外側とはハウジング１１０における幅方向の中心部から離れる側である。上記カバー１３０は、本体１３１と、この本体１３１に設けられた可撓性あるアーム１３２とを備えている。上記本体１３１は、嵌合凹部１１１の開口１１１ａを覆える形状に形成されている。本体１３１は、高さ方向にみた形状が高さ方向にみた嵌合凹部１１１の形状にほぼ一致している。この実施形態では高さ方向にみた嵌合凹部１１１の形状がほぼ長方形であるので、これに対応して本体１３１は高さ方向にみてほぼ同じ長方形に形成されている。カバー１３０がハウジング１１０に取り付けられた状態で本体１３１の外縁と嵌合凹部１１１の開口１１１ａとの間に隙間があるが、本体１３１がディップ槽に浸からないのであれば、ディップ槽からのハンダ、フラックスなどの飛沫などが嵌合凹部１１１に侵入することを阻止するのに十分である。また、カバー１３０をハウジング１１０から取り外すときに、隙間の存在によって嵌合凹部１１１から本体１３１が外れやすくなる。これに代えて、このような隙間がないように設定したときは本体１３１が嵌合凹部１１１の開口１１１ａに嵌ることになり、ディップ槽からのハンダ、フラックスなどの嵌合凹部１１１への侵入を、より確実に防ぐことができる。上記アーム１３２は、この本体１３１の幅方向の両端から高さ方向へそれぞれ延びている。各アーム１３２の先端には、上記ハウジング１１０の突起１１４に嵌合する孔１３２ａがそれぞれ設けられている。
【００１８】
次に、実施形態のカバー付きディップコネクタ１００の作用及び効果を説明する。このカバー付きディップコネクタ１００をプリント配線板２００に自動実装する場合、このカバー付きディップコネクタ１００をプリント配線板２００にその表面２１０の側から近づけ、上記嵌合凹部１１１を上記プリント配線板２００の接続開口２３０に対応して位置づけ、上記コンタクト１２０の脚１２１を上記プリント配線板２００の脚孔２４０にそれぞれ挿入し、プリント配線板２００の裏面２２０をディップ槽に浸けて脚孔２４０から突き出た脚１２１の先端をプリント配線板２００の裏面２２０のパターンにハンダ付けする（図２及び図４）。次いで、カバー１３０を上記プリント配線板２００の接続開口２３０から裏面２２０の側へ抜くと、嵌合凹部１１１の開口１１１ａが露出し、上記プリント配線板２００の裏面２２０の側から相手側コネクタ３００の嵌合凸部３１０を嵌合凹部１１１に嵌合することができるようになる（図３及び図５）。
【００１９】
その場合、プリント配線板２００の裏面２２０から出たコンタクト１２０の脚１２１をプリント配線板２００の裏面２２０にハンダ付けするときはカバー１３０が嵌合凹部１１１の開口１１１ａを覆っているので、ディップ槽から嵌合凹部１１１へのハンダ、フラックスなどの侵入が阻止され、相手側コネクタ３００との電気的接続が安定的に行われる。また、カバー１３０を高さ方向の一方側へ取り外すので、カバー１３０とコンタクト１２０との干渉が起きにくい。しかも、ハウジング１１０に、カバー１３０を取り外すためのスペースを確保する必要がないので、ハウジング１１０がコンパクトになる。さらに、コンタクト１２０の脚１２１のプリント配線板２００へのハンダ付けのあとでカバー１３０をハウジング１１０から取り外すので、実装後のディップコネクタ１００’の重量がカバーにより増加することはない。しかも、カバー１３０を回収して再利用すればコストの削減が可能となる。
【００２０】
本発明のカバー付きディップコネクタのカバーは、ハウジングに高さ方向の一方側へ取り外し可能に取り付けられて上記嵌合凹部の開口を覆っておればよい。そのような種々の実施形態のなかで、上記実施形態のカバー付きディップコネクタ１００は、上記ハウジング１１０の両側面１１３に、幅方向へ突き出た突起１１４をそれぞれ設け、カバー１３０を、嵌合凹部１１１の開口１１１ａを覆う本体１３１と、この本体１３１の幅方向の両端から高さ方向へそれぞれ延び、先端に上記ハウジング１１０の突起１１４に嵌合する孔１３２ａがそれぞれ設けられた可撓性あるアーム１３２とを備えるものとした。このようにすれば、アーム１３２を幅方向に撓ませてアーム１３２の孔１３２ａをハウジング１１０の突起１１４から外し、アーム１３２を高さ方向の一方側へ押せばカバー１３０を上記プリント配線板２００の接続開口２３０から裏面２２０の側へ抜くことができ、作業性がよい。
【００２１】
上記実施形態は本発明のカバー付きディップコネクタの一例を示したに過ぎない。したがって、この実施形態の記載によって本発明のカバー付きディップコネクタが限定解釈されることはない。
【図面の簡単な説明】
【００２２】
【図１】本発明の実施形態のカバー付きディップコネクタを実装側からみた斜視図である。
【図２】実施形態のカバー付きディップコネクタをプリント配線板に実装して反実装側からみた斜視図である。
【図３】実施形態のカバー付きディップコネクタを実装側からみた斜視図である。カバーをハウジングから取り外している。
【図４】実施形態のカバー付きディップコネクタをプリント配線板に実装して幅方向に向いた面で断面した拡大断面図である。
【図５】図４のカバー付きディップコネクタからカバーを取り外したときのディップコネクタ及びプリント配線板を示す拡大断面図である。相手側コネクタを仮想線で示している。
【図６】実施形態のカバー付きディップコネクタのカバーの斜視図である。
【符号の説明】
【００２３】
１００  カバー付きディップコネクタ
１００’  ディップコネクタ
１１０  ハウジング
１１１  嵌合凹部
１１１ａ  開口
１１２  底面
１１３  側面
１１４  突起
１２０  コンタクト
１２１  脚
１２２  接触部
１３０  カバー
１３１  本体
１３２  アーム
１３２ａ  孔
２００  プリント配線板
２１０  表面
２２０  裏面
２３０  接続開口
２４０  脚孔
３００  相手側コネクタ
３１０  嵌合凸部
【図１】
2009272187.tif 000003
【図２】
2009272187.tif 000004
【図３】
2009272187.tif 000005
【図４】
2009272187.tif 000006
【図５】
2009272187.tif 000007
【図６】
2009272187.tif 000008